(57)【要約】      （修正有）【課題】スキャナ部が備える非接触型メモリ情報リーダーと、書籍型原稿に内蔵される非接触型メモリとの間の無線通信を効率的に行う画像処理装置を提供する。【解決手段】画像処理装置は、原稿台１０１１上に載置された書籍型原稿を読み取るラインセンサ、書籍型原稿に埋め込まれた非接触型メモリ１３００の識別情報を読み取る非接触型メモリ情報リーダー１２００と、書籍型原稿の主走査方向の長さを検知し、書籍型原稿の主走査方向の存在位置を保持する主走査方向位置保持手段と、主走査方向及び副走査方向に移動可能とする非接触型メモリ情報リーダー１２００移動手段と、を有し、該非接触型メモリ情報リーダー１２００移動手段は、該非接触型メモリ情報リーダー１２００を、該主走査方向位置保持手段が保持する書籍型原稿の主走査方向の存在位置の略半分の位置を副走査方向に移動させる。【選択図】図４
2008283280.tif 000002
【特許請求の範囲】
【請求項１】
原稿台上に載置された書籍型原稿の一方の辺の長さを読み取るセンサと、
該原稿台に載置される書籍型原稿に埋め込まれた非接触型メモリの識別情報を読み取る非接触型メモリ情報リーダーと、
該センサによって読み取った該一方の辺の長さを保持する長さ保持手段と、
該非接触型メモリ情報リーダーを移動する非接触型メモリ情報リーダー移動手段と、を有し、
該非接触型メモリ情報リーダー移動手段は、該非接触型メモリ情報リーダーを、該長さ保持手段が保持する書籍型原稿の該一方の辺の長さの略半分の位置を他方の辺の長さ方向に移動させることを特徴とする画像処理装置。
【請求項２】
原稿台上に載置された書籍型原稿の主走査方向１列分の画像を読み取るラインセンサと、
該原稿台に載置される書籍型原稿に埋め込まれた非接触型メモリの識別情報を読み取る非接触型メモリ情報リーダーと、
該ラインセンサによって該原稿台上に載置された書籍型原稿の主走査方向の長さを検知し、書籍型原稿の主走査方向の存在位置を保持する主走査方向位置保持手段と、
該非接触型メモリ情報リーダーを該原稿台の内部において主走査方向及び副走査方向に移動可能とする非接触型メモリ情報リーダー移動手段と、を有し、
該非接触型メモリ情報リーダー移動手段は、該非接触型メモリ情報リーダーを、該主走査方向位置保持手段が保持する書籍型原稿の主走査方向の存在位置の略半分の位置を副走査方向に移動させることを特徴とする画像処理装置。
【請求項３】
原稿台上に載置された書籍型原稿の主走査方向１列分の画像を読み取るラインセンサと、
該原稿台の内部において主走査方向及び副走査方向に移動可能に構成され、原稿台の所定箇所の原稿の存否を検出する原稿検出センサと、
該原稿台に載置される書籍型原稿に埋め込まれた非接触型メモリの識別情報を読み取る非接触型メモリ情報リーダーと、
該ラインセンサによって該原稿台上に載置された書籍型原稿の主走査方向の長さを検知し、書籍型原稿の主走査方向の存在位置を保持する主走査方向位置保持手段と、
該非接触型メモリ情報リーダーを該原稿台の内部において主走査方向及び副走査方向に移動可能とする非接触型メモリ情報リーダー移動手段と、
該主走査方向位置保持手段が保持する長さと、該原稿検出センサによって検出された原稿の存否情報とに応じて該非接触型メモリ情報リーダーが識別情報を読み取る位置を決定する識別情報読み取り位置決定手段と、を有し、
該非接触型メモリ情報リーダー移動手段は、該識別情報読み取り位置決定手段の決定に基づいて、該非接触型メモリ情報リーダーを移動させることを特徴とする画像処理装置。
【請求項４】
該非接触型メモリはＲＦ−ＩＤタグメモリであることを特徴とする請求項１乃至請求項３のいずれかに記載の画像処理装置。
【請求項５】
原稿台上に載置された書籍型原稿の一方の辺の長さを読み取るセンサによって該原稿台に載置される書籍型原稿の該一方の辺の長さの存在位置を検知して、書籍型原稿に埋め込まれた非接触型メモリの識別情報を読み取る非接触型メモリ情報リーダーを、該一方の辺の長さの略半分の位置を他方の辺の長さ方向に移動させるように制御することを特徴とする画像処理装置の制御方法。
【請求項６】
原稿台上に載置された書籍型原稿の主走査方向１列分の画像を読み取るラインセンサによって該原稿台上に載置された書籍型原稿の主走査方向の存在位置を検知し、この検知結果に応じて、該原稿台に載置される書籍型原稿に埋め込まれた非接触型メモリの識別情報を読み取る非接触型メモリ情報リーダーの移動経路を決めるように制御することを特徴とする画像処理装置の制御方法。
【請求項７】
該非接触型メモリ情報リーダーの移動経路は、書籍型原稿の主走査方向の存在位置の略半分の位置の副走査方向に決定することを特徴とする請求項６に記載の画像処理装置の制御方法。
【請求項８】
原稿台上に載置された書籍型原稿の主走査方向１列分の画像を読み取るラインセンサによって該原稿台上に載置された書籍型原稿の主走査方向の存在位置を検知し、さらに該原稿台の所定箇所の書籍型原稿の存否を原稿検出センサによって検知し、これらの検知結果に応じて、該原稿台に載置される書籍型原稿に埋め込まれた非接触型メモリの識別情報を読み取る非接触型メモリ情報リーダーの読み取り位置を決めるように制御することを特徴とする画像処理装置の制御方法。
【発明の詳細な説明】
【技術分野】
【０００１】
本発明は、スキャナ装置、コピー装置やファクシミリ装置、或いはスキャナ部及びプリンタ部を備えたデジタル複合機などの画像処理装置に係り、特に、スキャナ部で書籍型原稿をスキャンするときにおいて書籍型原稿内蔵非接触メモリの読み取りを行う画像処理装置及びこのような画像処理装置の制御方法に関する。
【背景技術】
【０００２】
従来、画像読み取り装置などの画像処理装置では、いくつかの読み取り方式が実用化されているが、中でも、上部に平らなテーブル状の台を持ち、原稿を載せた状態で、読み取り機構を動作させることでデータを読み取るようになっているフラットヘッド方式が一般的で、広く普及している。
【０００３】
このようなフラットヘッド方式の画像読み取り部を有するものには、スキャナ装置、コピー装置やファクシミリ装置、或いはスキャナ部及びプリンタ部を備えたデジタル複合機（ＭＦＰ：Ｍｕｌｔｉ  Ｆｕｎｃｔｉｏｎａｌ  Ｐｅｒｉｐｈｅｒａｌ）などの画像処理装置は、原稿の画像を読み取り、読み取った画像を記録用紙にコピーするか、又は、外部へ送信する。
【０００４】
ところで、著作権などによってコピー禁止の画像を有する書籍型原稿に対して、画像読み取りの制限をかけるために、ＲＦ−ＩＤ（Ｒａｄｉｏ  Ｆｒｅｑｕｅｎｃｙ  ＩＤｅｎｔｉｆｉｃａｔｉｏｎ：無線通信を利用した非接触による自動認識技術）タグメモリを書籍型原稿に埋め込んでおき、画像読み取りのたびに、このＲＦ−ＩＤタグメモリに記憶してある識別情報を読み出し、読み出した識別情報に基づいて、画像のスキャンやコピーの可否を判定する画像形成装置が提案されている。
【０００５】
例えば、特許文献１（特開２００６−５４７７７号公報）には、印刷物に付された無線タグからその印刷物の識別情報を取得するタグ情報読取手段と、前記タグ情報読取手段が取得した識別情報が示す印刷物の原稿データをネットワーク経由で所定のデータベースから取得する原稿データ取得手段と、前記原稿データ取得手段が取得した原稿データに基づく画像を印刷する印刷手段とを有することを特徴とする画像形成装置が開示されている。
【特許文献１】特開２００６−５４７７７号公報
【発明の開示】
【発明が解決しようとする課題】
【０００６】
ＲＦ−ＩＤタグメモリを読み取るリーダーは、電磁誘導にてＲＦ−ＩＤタグメモリに電力を供給し、この電力によってＲＦ−ＩＤタグメモリに情報処理・無線通信を行わせて、ＲＦ−ＩＤタグメモリから非接触で識別情報を得るような仕組みとなっている。このため、ＲＦ−ＩＤタグメモリリーダーが、ＲＦ−ＩＤタグメモリと有効に無線通信を行い得る範囲というのは限られた範囲である。したがって、このようなＲＦ−ＩＤタグメモリリーダーを、フラットヘッド方式の画像読み取り部に設けるときには、ＲＦ−ＩＤタグメモリリーダーとＲＦ−ＩＤタグメモリが有効に無線通信できるような構成を採用しなければならない。しかしながら、特許文献１の画像形成装置では、印刷物に付された無線タグから印刷物の識別情報を取得するタグ情報読取手段が、無線タグと無線通信を行うための具体的な構成については記載されていない。
【０００７】
すなわち、従来においては、画像読み取り装置が備えるＲＦ−ＩＤタグメモリリーダーと、書籍型原稿に内蔵されるＲＦ−ＩＤタグメモリとの効率的な無線通信を行うための構成・方法が提案されていない、という問題があった。
【課題を解決するための手段】
【０００８】
上記のような問題に対処するために、本発明の画像処理装置は、原稿台上に載置された書籍型原稿の一方の辺の長さを読み取るセンサと、該原稿台に載置される書籍型原稿に埋め込まれた非接触型メモリの識別情報を読み取る非接触型メモリ情報リーダーと、該センサによって読み取った該一方の辺の長さを保持する長さ保持手段と、該非接触型メモリ情報リーダーを移動する非接触型メモリ情報リーダー移動手段と、を有し、該非接触型メモリ情報リーダー移動手段は、該非接触型メモリ情報リーダーを、該長さ保持手段が保持する書籍型原稿の該一方の辺の長さの略半分の位置を他方の辺の長さ方向に移動させることを特徴とする。
【０００９】
また、本発明の画像処理装置は、原稿台上に載置された書籍型原稿の主走査方向１列分の画像を読み取るラインセンサと、該原稿台に載置される書籍型原稿に埋め込まれた非接触型メモリの識別情報を読み取る非接触型メモリ情報リーダーと、該ラインセンサによって該原稿台上に載置された書籍型原稿の主走査方向の長さを検知し、書籍型原稿の主走査方向の存在位置を保持する主走査方向位置保持手段と、
該非接触型メモリ情報リーダーを該原稿台の内部において主走査方向及び副走査方向に移動可能とする非接触型メモリ情報リーダー移動手段と、を有し、該非接触型メモリ情報リーダー移動手段は、該非接触型メモリ情報リーダーを、該主走査方向位置保持手段が保持する書籍型原稿の主走査方向の存在位置の略半分の位置を副走査方向に移動させることを特徴とする。
【００１０】
また、本発明の画像処理装置は、原稿台上に載置された書籍型原稿の主走査方向１列分の画像を読み取るラインセンサと、該原稿台の内部において主走査方向及び副走査方向に移動可能に構成され、原稿台の所定箇所の原稿の存否を検出する原稿検出センサと、該原稿台に載置される書籍型原稿に埋め込まれた非接触型メモリの識別情報を読み取る非接触型メモリ情報リーダーと、該ラインセンサによって該原稿台上に載置された書籍型原稿の主走査方向の長さを検知し、書籍型原稿の主走査方向の存在位置を保持する主走査方向位置保持手段と、該非接触型メモリ情報リーダーを該原稿台の内部において主走査方向及び副走査方向に移動可能とする非接触型メモリ情報リーダー移動手段と、該主走査方向位置保持手段が保持する長さと、該原稿検出センサによって検出された原稿の存否情報とに応じて該非接触型メモリ情報リーダーが識別情報を読み取る位置を決定する識別情報読み取り位置決定手段と、を有し、該非接触型メモリ情報リーダー移動手段は、該識別情報読み取り位置決定手段の決定に基づいて、該非接触型メモリ情報リーダーを移動させることを特徴とする。
【００１１】
また、本発明の画像処理装置は、該非接触型メモリはＲＦ−ＩＤタグメモリであることを特徴とする。
【００１２】
また、本発明の画像処理装置の制御方法は、原稿台上に載置された書籍型原稿の一方の辺の長さを読み取るセンサによって該原稿台に載置される書籍型原稿の該一方の辺の長さの存在位置を検知して、書籍型原稿に埋め込まれた非接触型メモリの識別情報を読み取る非接触型メモリ情報リーダーを、該一方の辺の長さの略半分の位置を他方の辺の長さ方向に移動させるように制御することを特徴とする。
【００１３】
また、本発明の画像処理装置の制御方法は、原稿台上に載置された書籍型原稿の主走査方向１列分の画像を読み取るラインセンサによって該原稿台上に載置された書籍型原稿の主走査方向の存在位置を検知し、この検知結果に応じて、該原稿台に載置される書籍型原稿に埋め込まれた非接触型メモリの識別情報を読み取る非接触型メモリ情報リーダーの移動経路を決めるように制御することを特徴とする。
【００１４】
また、本発明の画像処理装置の制御方法は、該非接触型メモリ情報リーダーの移動経路は、書籍型原稿の主走査方向の存在位置の略半分の位置の副走査方向に決定することを特徴とする。
【００１５】
また、本発明の画像処理装置の制御方法は、原稿台上に載置された書籍型原稿の主走査方向１列分の画像を読み取るラインセンサによって該原稿台上に載置された書籍型原稿の主走査方向の存在位置を検知し、さらに該原稿台の所定箇所の書籍型原稿の存否を原稿検出センサによって検知し、これらの検知結果に応じて、該原稿台に載置される書籍型原稿に埋め込まれた非接触型メモリの識別情報を読み取る非接触型メモリ情報リーダーの読み取り位置を決めるように制御することを特徴とする。
【００１６】
本発明の画像処理装置及び画像処理装置の制御方法によれば、原稿台上に載置された書籍型原稿の主走査方向１列分の画像を読み取るラインセンサによって該原稿台上に載置された書籍型原稿の主走査方向の長さを検知し、非接触型メモリ情報リーダー移動手段が、非接触型メモリ情報リーダーを、該主走査方向位置保持手段が保持する書籍型原稿の主走査方向の存在位置の略半分の位置を副走査方向に移動させるように構成されるので、画像読み取り装置などのスキャナ部が備える非接触型メモリ情報リーダーと、書籍型原稿に内蔵される非接触型メモリとの間の無線通信を効率的に行うことができる。
【発明を実施するための最良の形態】
【００１７】
以下、本発明の実施の形態を図面を参照しつつ説明する。本実施形態においては画像処理装置として複合機を例にとり説明するが、本発明はこのような複合機に限らず単体としての、スキャナ装置、ファクシミリ専用機などの画像処理装置にも適用可能なものである。
【００１８】
図１は本発明の実施の形態に係るファクシミリ装置（複合機）及びその周辺のシステム構成を示す図である。図１において、１０はＬＡＮ、ＷＡＮなどのネットワーク、２０は電話回線、１００は複合機、１１０は複合機の主制御を行う制御部、１２０はファクシミリ文書の送受信を行うファクシミリ部、１３０は記録媒体への印刷を行うプリンタ部、１４０は原稿の読み取りを行うスキャナ部、１５０はユーザーとのインターフェイスとなる操作パネル部、１６０はネットワークＩ／Ｆ、１７０はＵＳＢ  Ｉ／Ｆ、２００、２００’、２００’’はパーソナルコンピュータ、３００は外部機器をそれぞれ示している。
【００１９】
図１に示されるファクシミリ装置（複合機）周辺のシステムでは、クライアントなどのパーソナルコンピュータ２００、２００’、２００’’と複合機１００とが、ネットワーク１０を介して接続される構成となっている。また、複合機１００のファクシミリ部１２０が電話回線２０と、ＵＳＢ  Ｉ／Ｆ１７０が、携帯電話やデジタルカメラなどの外部機器３００と接続されるような構成とされている。
【００２０】
複合機１００は、情報処理装置からなる複合機本体の主制御を行う制御部１１０と、ユーザーの入力操作を受け付ける入出力装置である操作パネル部１５０と、原稿・画像をスキャンしてカラーで読み込むスキャナ部１４０と、印刷用紙等に印刷を行うプリンタ部１３０と、ファクシミリ送受信を行うファクシミリ部１２０とを備える。つまり、複合機１００は、スキャナ機能、印刷機能、スキャナ機能と印刷機能を組み合わせたコピー機能及びファクシミリ送受信機能を備えるものである。
【００２１】
複合機１００の情報処理機構は、いずれも例えば汎用的なコンピュータシステムにより構成され、個々の構成要素または機能は、例えば、記憶手段に書き込まれたコンピュータプログラムを実行することにより実現される。
【００２２】
スキャナ部１４０は、原稿を載置可能な不図示の原稿台とこれを読み取る光学系からなる。スキャナ部１４０の原稿台には、原稿台に載置した原稿のサイズを検知することができる原稿サイズ検知センサが設けられている。また、複合機に１００には、スキャナ部１４０に自動的に連続的に原稿を送致する構成である自動原稿搬送装置（ＡＤＦ：Ａｕｔｏｍａｔｉｃ  Ｄｏｃｕｍｅｎｔ  Ｆｅｅｄｅｒ）が設けられている。
【００２３】
スキャナ部１４０によって読み取られた制御部１１０の不図示の記憶手段に一度取り込まれる。操作パネル部１５０などからの指定によって制御部１１０は、スキャナ部１４０で読み取られた原稿画像データを、そのまま、或いは設定された倍率でプリンタ部１３０から紙出力したり（複合機１００のコピー機能）、ファクシミリ部１２０から電話回線を通じて送信したり（複合機１００のファクシミリ機能）、ネットワークＩ／Ｆ１６０、ネットワーク１０を介して、パーソナルコンピュータ２００、２００’、２００’’に向けて送信したり（複合機１００のスキャナ機能）する。
【００２４】
プリンタ部１３０は、記録用紙上に画像を形成するものであり、レーザーやＬＥＤラインヘッドによって感光体上に潜像を形成する方式を採用した電子写真方式や、記録用紙上に直接インクを射出する方式を採用したインクジェット方式などの周知のハードウエア構成を用いることができる。制御部１１０は、操作パネル部１５０やパーソナルコンピュータ２００、２００’、２００’’或いは、携帯電話、デジタルカメラなどの外部機器３００からの指示に基づいて、プリンタ部１３０に所定の紙出力を行わせるものである。すなわち、プリンタ部１３０は、スキャナ部１４０によって読み取られた画像データやファクシミリ部２１０で受信されたファクシミリデータや、パーソナルコンピュータ２００、２００’、２００’’のアプリケーションソフトウエアからのデータや外部機器３００からの画像データなどを紙出力するものである。
【００２５】
ファクシミリ部１２０は、電話回線２０と接続されていて、ファクシミリの送受信を行うファクシミリ送受信部（不図示）と、ファクシミリ送受信部が送信するための送信データを一時記憶する送信バッファ及びファクシミリ送受信部が受信した受信データを一時記憶する受信バッファを構成するためのファクシミリ部用のメモリを備えている。
【００２６】
また、ファクシミリ部１２０は、電話回線２０からファクシミリ送信されてきたデータを受信すると、その受信データを一旦格納する。そして、格納された受信データは、制御部１１０へ送られて、プリンタ部１３０で印刷される。ファクシミリ部１２０は、複合機１００内の他の構成とは独立にファクシミリ送受信を行う。つまり、ファクシミリ部１２０は、複合機１００から送信データを受け付けると、複合機１００とは独立にファクシミリ送信を行うし、電話回線２０からファクシミリデータが送信されてくれば、それを受信する。
【００２７】
複合機１００のコピー機能は、ユーザーの操作パネル部１５０の操作によって制御部１１０に設定される。操作パネル部１５０からは、コピー機能に係るコピー倍率の設定、原稿画像サイズの設定、出力用紙のサイズの設定を行うことができ、制御部１１０はこれらの設定に基づいて、複合機１００のコピー機能を実行する。複合機１００のコピー機能は、スキャナ部１４０にて読み取った原稿の原稿画像データに、コピー倍率処理を施し、これをプリンタ部１３０で指定されたサイズの用紙に紙出力する。
【００２８】
操作パネル部１５０のハードウエアは、操作に係わる表示を行うＬＣＤからなる表示部と、指などによる押圧で入力が行えるタッチパネル部とから概略構成される。これらの表示部とタッチパネル部とは重ねて構成されており、ユーザーは表示部の表示を参照しつつ、指でタッチパネル部を操作することで複合機１００の各種設定を行うことができるようになっている。タッチパネル部による入力機構、表示部による表示機構の具体的な構成については、周知の技術を用いることができる。この操作パネル部１５０で行うことができるのは、複合機１００のファクシミリ機能、プリンタ機能、コピー機能といった各種機能の選択、画像のプレビュー表示などである。
【００２９】
次に、本発明で用いられるスキャナ部１４０について説明する。図２は本発明の実施の形態に係る画像処理装置（複合機）のスキャナ部１４０の概略構成を示す図である。図２において、１０１０は本体、１０１１は原稿台、１０１３は白基準、１０１４はインターフェイス、１０２０はキャリッジ、１０２１は光源、１０２２はミラー、１０２３は集光レンズ、１０２４はラインセンサ、１０２５はＡ／Ｄ変換器、１０３０はスキャナ制御部、１０３１はＣＰＵ（Ｃｅｎｔｒａｌ  ＰｒｏｃｅｓｓｉｎｇＵｎｉｔ）、１０３２はＲＡＭ（Ｒａｎｄｏｍ  Ａｃｃｅｓｓ  Ｍｅｍｏｒｙ）、１０３３はＲＯＭ（Ｒｅａｄ  Ｏｎｌｙ  Ｍｅｍｏｒｙ）、１０４０はデータ処理部、１０５０は画像処理部、１１００は原稿検出センサをそれぞれ示している。
【００３０】
図２に示すように、スキャナ部１４０は箱形の本体１０１０の内部にキャリッジ１０２０を備えている。この本体１０１０の上方にガラス製で透明な原稿台１０１１が設けられている。キャリッジ１０２０は、本体１０１０の内部に図示しない駆動手段により原稿台１０１１に対して平行な副走査方向へ往復移動可能に設けられている。原稿台１０１１の反キャリッジ側に読み取り対象となる書籍型原稿が載置される。
【００３１】
キャリッジ１０２０には、光源１０２１、ミラー１０２２、集光レンズ１０２３およびラインセンサ１０２４が搭載されている。ミラー１０２２は、ラインセンサ１０２４に集光される書籍型原稿からの光を反射し、光路長を長くするために設けられている。集光レンズ１０２３は、書籍型原稿からの光をラインセンサ１０２４に集光する。ラインセンサ１０２４には、ＣＣＤなどの複数の画素をキャリッジ１０２０の移動方向と垂直に直線的に配列した電荷結合素子が使用される。ラインセンサ１０２４にはＡ／Ｄ変換器１０２５が接続され、ラインセンサ１０２４およびＡ／Ｄ変換器１０２５は撮像手段を構成している。Ａ／Ｄ変換器１０２５では、ラインセンサ１０２４から出力されたアナログの電気信号がデジタルの電気信号へ変換される。
【００３２】
光源１０２１は、キャリッジ１０２０の移動方向に対し垂直に設けられ、蛍光ランプなどが用いられる。光源１０２１から照射された光は、紙などの反射原稿の表面で反射し、ラインセンサ１０２４へ入射される。原稿台１０１１の周囲には、読み取られる書籍型原稿の載置位置を位置決めし、原稿読み取り時に書籍型原稿の移動を規制する原稿ガイド１０１２が設けられている。原稿台１０１１のキャリッジ移動方向の端部には、高反射率均一反射面を有する白基準１０１３が設けられている。
【００３３】
本体１０１０の内部にはスキャナ制御部１０３０が搭載されている。スキャナ制御部１０３０は、ＣＰＵ（Ｃｅｎｔｒａｌ  ＰｒｏｃｅｓｓｉｎｇＵｎｉｔ）１０３１、記憶手段としてのＲＡＭ（Ｒａｎｄｏｍ  Ａｃｃｅｓｓ  Ｍｅｍｏｒｙ）１０３２、ＲＯＭ（Ｒｅａｄ  Ｏｎｌｙ  Ｍｅｍｏｒｙ）１０３３、ならびにデータ処理部１０４０を備えて構成されている。ＣＰＵ１０３１は、キャリッジ１０２０の駆動の制御、光源１０２１の点滅の制御、書籍型原稿の読み取り状態の制御、データ処理部１０４０、ならびに後述する画像処理部１０５０でのデジタルデータの処理などスキャナ部１４０の全体の制御を行う。ＲＡＭ１０３２は、ラインセンサ１０２４で読み取られたデジタルデータなどを一時的に格納する。ＲＯＭ１０３３にはＣＰＵ１０３１によりスキャナ部１４０の各部を制御するためのコンピュータプログラムが格納されている。
【００３４】
データ処理部１０４０は、原稿から読み取ったデジタルの光量信号に対してシェーディング補正、ガンマ補正、その他の補正を行ない、デジタルの光量信号をデジタルデータに変換する。ここで、シェーディング補正は、Ａ／Ｄ変換器１０２５から出力されたデジタルの電気信号を、読み取り開始前に白基準１０１３を読み取ることで得られたデータを用いてラインセンサ１０２４の素子ごとの感度のばらつき、または光源１０２１の主走査方向の光量のばらつきを補正するものである。ガンマ補正は、所定のガンマ関数により行なう補正である。また、その他の補正としてはエッジ強調ならびに読み取り範囲の拡大／縮小など等がある。
【００３５】
スキャナ制御部１０３０に接続されている画像処理部１０５０は、データ処理部１０４０から出力されたデジタルデータに画像処理を実施する。また、画像処理部１０５０は、プリスキャンのときに読み取られたデジタルデータに基づいて、カラー／モノクロ別、書類／写真等の原稿種類を判別する。
【００３６】
画像処理部１０５０で処理されたデジタルデータは、本体１０１０に設けられているインターフェイス１０１４から制御部１１０へ出力される。
【００３７】
次に、本発明で用いられるスキャナ部１４０におけるＲＦ−ＩＤタグメモリリーダーついて説明する。図３は本発明の実施の形態に係る画像処理装置（複合機）におけるＲＦ−ＩＤタグメモリリーダーの概略構成を示す図である。また、図４は本発明の実施の形態に係る画像処理装置（複合機）においてＲＦ−ＩＤタグメモリが内蔵される書籍型原稿が原稿台に載置された状態を示す図である。
【００３８】
スキャナ部１４０にはＲＦ−ＩＤタグメモリリーダー１２００が原稿台１０１１のプラテン内に、不図示の機構によって主走査方向及び副走査方向に移動可能に設けられている。このＲＦ−ＩＤタグメモリリーダー１２００は、スキャナ部１４０に載置された書籍型原稿に内蔵されるＲＦ−ＩＤタグメモリと非接触で無線通信を行うためのものである。ＲＦ−ＩＤタグメモリとの無線通信を行うＲＦ−ＩＤタグメモリリーダー１２００からの信号は、スキャナ部１４０におけるスキャナ制御部１０３０または制御部１１０によって処理されるように構成する。
【００３９】
本発明におけるＲＦ−ＩＤタグメモリ及びＲＦ−ＩＤタグメモリリーダーは従来周知の構成のものを用いることができる。また、本発明においては、ＲＦ−ＩＤタグメモリ１３００は、書籍型原稿の表題などが印刷されるのりしろ部の中央付近に埋め込まれている状況が想定されている。ＲＦ−ＩＤタグメモリ１３００は、書籍型原稿のＩＳＢＮナンバーなどの識別情報や書籍型原稿に関連する情報、たとえば、書籍名、著者のプロフィール、同一著者による他の出版物、同一分野や同一テーマの関連書籍のほか（関連印刷物情報）、当該印刷物の目次情報、後付、当該印刷物の概要説明・紹介文などが記録される。また、ＲＦ−ＩＤタグメモリ１３００に記憶される情報に基づいて課金を行うような場合には、著作権料としての１ページ当たりの単価を記憶させるように設定する。
【００４０】
なお、図３中、原稿台１０１１の左隅奥を原点と定義し、矢印で示す方向を主走査方向、副走査方向と定義する。なお、書籍型原稿サイズの検出長さについては、主走査方向にはＸを用い、副走査方向にはＹを用いる。主走査方向の矢印の方向は正の方向と定義し、また、矢印の判定の方向を負の方向と定義する。副走査方向においても同様で、矢印の方向は正の方向と定義し、矢印の判定の方向を負の方向と定義する。以下、同様の図面においても同様の定義とする。また、書籍型原稿は見開きの状態で、原稿台１０１１に載置されることが想定されている。
【００４１】
キャリッジ１０２０における構成は先に説明したものであり、原稿台１０１１に置かれた書籍型原稿からの光をラインセンサ１０２４でセンスする。ここで、原稿サイズ検出においては、キャリッジ１０２０をホームポジションに維持したまま、光源１０２１を点灯し、その反射光をラインセンサ１０２４で読み取ることによって、書籍型原稿の主走査方向（Ｘ方向）の長さを検出する。
【００４２】
以上のように構成される画像処理装置（複合機）におけるＲＦ−ＩＤタグメモリ読み取り処理について説明する。図５は本発明の実施の形態に係る画像処理装置（複合機）のＲＦ−ＩＤタグメモリリーダー１２００における識別情報読み取り処理のフローチャートを示す図である。
【００４３】
図５において、ステップＳ１００で、タグ読み取り処理が開始されると、次にステップＳ１０１に進む。ステップＳ１０１では、ラインセンサ１０２４によって書籍型原稿の主走査方向長さＸの検出を行う。このステップＳ１０１は、ラインセンサ１０２４によって原稿台１０１１上に載置された書籍型原稿の主走査方向の長さを検知し、書籍型原稿の主走査方向の存在位置を把握するステップである。
【００４４】
続いて、ステップＳ１０２では、主走査方向長さＸの１／２の長さを算出する。このような演算は、ＲＦ−ＩＤタグメモリ１３００が、書籍型原稿の表題などが印刷されるのりしろ部の中央付近に埋め込まれている状況が想定されているからである。
【００４５】
次に、ステップＳ１０３では、不図示の移動機構によりＲＦ−ＩＤタグメモリリーダー１２００を移動しつつ、書籍型原稿の走査を行う。この走査の間に、ＲＦ−ＩＤタグメモリリーダー１２００は、書籍型原稿に埋め込まれたＲＦ−ＩＤタグメモリ１３００との交信を行うためのエフォートを実行する。また、書籍型原稿の走査においては、不図示の移動機構は、ＲＦ−ＩＤタグメモリリーダー１２００を、書籍型原稿の主走査方向の存在位置の略半分（Ｘ／２）の位置を副走査方向に移動させるように設定されている。このような設定のために、書籍型原稿の表題などが印刷されるのりしろ部の中央付近に埋め込まれているＲＦ−ＩＤタグメモリ１３００からの識別情報の読み取りが可能となる。
【００４６】
続くステップＳ１０４では、ＲＦ−ＩＤタグメモリリーダー１２００は書籍型原稿に埋め込まれたＲＦ−ＩＤタグメモリ１３００から識別情報等を読み取り、次のステップＳ１０５で、タグ読み取り処理を終了する。
【００４７】
以上の処理フローに示されるように、原稿台１０１１上に載置された書籍型原稿の主走査方向１列分の画像を読み取るラインセンサ１０２４によって原稿台１０１１上に載置された書籍型原稿の主走査方向の長さＸを検知し、不図示のＲＦ−ＩＤタグメモリリーダー１２００移動機構が、ＲＦ−ＩＤタグメモリリーダー１２００を、書籍型原稿の主走査方向の存在位置の略半分（Ｘ／２）の位置を副走査方向に移動させるように構成されるので、スキャナ部１４０が備えるＲＦ−ＩＤタグメモリリーダー１２００と、書籍型原稿に内蔵されるＲＦ−ＩＤタグメモリ１３００との間の無線通信を効率的に行うことができる。
【００４８】
なお、以上の説明においては、原稿台上に置かれた書籍型原稿の主走査方向１列分の長さを読み取り、この長さの略半分の箇所を副走査方向にＲＦ−ＩＤタグメモリリーダーでスキャンさせて、ＲＦ−ＩＤタグメモリの識別情報を読み取るような場合を例としたが、本発明はこのような構成に限定されるものではなく、主走査方向と副走査方向とを入れ替えて、副走査方向の長さを基準とするように構成としてもよい。すなわち、原稿台上に置かれた書籍型原稿の副走査方向１列分の長さを読み取り、この長さの略半分の箇所を主走査方向にＲＦ−ＩＤタグメモリリーダーでスキャンさせて、ＲＦ−ＩＤタグメモリの識別情報を読み取るような構成としたものも本発明の範疇に入るものである。
【００４９】
次に、本発明の他の実施形態について説明する。先の実施の形態においては、ＲＦ−ＩＤタグメモリリーダー１２００移動機構が、ＲＦ−ＩＤタグメモリリーダー１２００を、書籍型原稿の主走査方向の存在位置の略半分（Ｘ／２）の位置を副走査方向に移動（スキャン）させるように構成されていたが、本実施形態においては、書籍型原稿のサイズを検出して、ＲＦ−ＩＤタグメモリリーダー１２００移動機構によってピンポイント的にＲＦ−ＩＤタグメモリリーダー１２００を移動させるものである。
【００５０】
図６は本発明の実施の形態に係る画像処理装置（複合機）のスキャナ部１４０の原稿サイズ検出機構を示す図である。また、図７は本発明の実施の形態に係る画像処理装置（複合機）における原稿検出センサ１１００のホームポジションの定義を説明する図である。
【００５１】
原稿検出センサ１１００は、原稿台１０１１内に主走査方向及び副走査方向に移動自在に設けられている。原稿検出センサ１１００は、直上に光を射出する光源部と、原稿検出センサ１１００の直上に書籍型原稿が存在する場合に、その反射光を受光するセンサ部とから構成されており、原稿検出センサ１１００の直上の原稿台１０１１に置かれている書籍型原稿の存否を検出することができるようになっている。原稿サイズ検出のための原稿検出センサ１１００からの信号は、スキャナ部１４０におけるスキャナ制御部１０３０または制御部１１０によって処理されるように構成する。
【００５２】
この原稿検出センサ１１００は、不図示の機構によって主走査方向及び副走査方向に移動可能に構成されているが、通常はおよそ図に示すような位置をホームポジションとしている。図７は原稿台１０１１を上からみた上面図である。原稿検出センサ１１００のホームポジションは、原点（原稿台１０１１左上隅）から主走査方向にＸｏ、副走査方向にＹｏ進んだ位置とする。
【００５３】
原稿台１０１１に置かれた書籍型原稿の原稿サイズ検出の概略について説明すると、まずラインセンサ１０２４によって、書籍型原稿の主走査方向（Ｘ方向）の長さを検出する。図の例では、原稿台１０１１に書籍型原稿Ｄが置かれているときには、Ｘ＝２１０ｍｍが検出され、書籍型原稿Ｄ’が置かれているときには、Ｘ＝２９７ｍｍが検出される。このようなラインセンサ１０２４によって検出される書籍型原稿の主走査方向（Ｘ方向）の長さと、原稿検出センサ１１００からの原稿台１０１１上の書籍型原稿の存否情報の双方をみて原稿サイズを検出する。ここで、ラインセンサ１０２４によって検出される書籍型原稿の主走査方向（Ｘ方向）の長さが規格外の長さであったような場合には、原稿検出センサ１１００を、その移動機構によって主走査方向、副走査方向に移動させて、規格外原稿のサイズを検知するように設定する。なお、書籍型原稿Ｄ及び書籍型原稿Ｄ’は書籍の見開きの状態の被スキャン面を示すものである。以下、書籍型原稿Ｄに関連する記載はこれに準ずるものとする。以下、原稿サイズ検出方法の詳細について説明する。
【００５４】
図８は本発明の他の実施の形態に係る画像処理装置（複合機）のＲＦ−ＩＤタグメモリリーダー１２００における識別情報読み取り処理のフローチャートを示す図である。また、図９はＩＳＯで定められたＡ列の書籍型原稿が原稿台１０１１に載置された様子を示す図であり、図１０はＩＳＯで定められたＢ列の書籍型原稿が原稿台１０１１に載置された様子を示す図である。
【００５５】
なお、図１１（Ａ）はＩＳＯのＡ列（Ａ５、Ａ４、Ａ３）の書籍型原稿のサイズを示しており、図１１（Ｂ）はＩＳＯのＢ列（Ｂ６、Ｂ５、Ｂ４）の書籍型原稿のサイズを示している。原稿検出センサ１１００のホームポジションは、これらの書籍型原稿のサイズを以下に示す手法で、検出するのに好適な場所とする。
【００５６】
図８において、ステップＳ２００で、タグ読み取り処理が開始されると、続くステップＳ２０１では、ラインセンサ１０２４によって書籍型原稿の主走査方向の長さＸの検出が行われる。
【００５７】
ステップＳ２０２では、ラインセンサ１０２４で検出した長さがＸ＝２９７ｍｍであるか否かが判定される。ステップＳ２０２における判定の結果がＹＥＳであるときにはステップＳ２０６に進み、ステップＳ２０２における判定の結果がＮＯであるときにはステップＳ２０３に進む。判定の結果がＹＥＳであるとき進むステップＳ２０６では、ホームポジションにおける原稿検出センサ１１００からの原稿存否に係る検出情報が読み込まれる。
【００５８】
次にステップＳ２０７では、原稿検出センサ１１００からの情報に基づいてホームポジションに書籍型原稿が存在するかが判定される。
【００５９】
ステップＳ２０７における判定の結果がＹＥＳであるときには、ステップＳ２０８に進み、原稿台１０１１上の書籍型原稿はＡ３サイズで縦置きされているものと判断する（図９中の書籍型原稿Ｄ１参照）。
【００６０】
ステップＳ２０９においては、このような判断に基づいて、不図示の移動機構によってＲＦ−ＩＤタグメモリリーダー１２００をＡ３サイズ縦置きの中心である（Ｘ＝１４８．５ｍｍ，Ｙ＝２１０ｍｍ）に移動させる。ステップＳ２１０では、ＲＦ−ＩＤタグメモリリーダー１２００は書籍型原稿に埋め込まれたＲＦ−ＩＤタグメモリ１３００から識別情報等を読み取り、次のステップＳ２４１で、タグ読み取り処理を終了する。
【００６１】
ステップＳ２０７における判定の結果がＮＯであるときには、ステップＳ２１１に進み、原稿台１０１１上の書籍型原稿はＡ４サイズで横置きされているものと判断する（図９中の書籍型原稿Ｄ３参照）。
【００６２】
ステップＳ２１２においては、このような判断に基づいて、不図示の移動機構によってＲＦ−ＩＤタグメモリリーダー１２００をＡ４サイズ横置きの中心である（Ｘ＝１４８．５ｍｍ，Ｙ＝１０５ｍｍ）に移動させる。ステップＳ２１３では、ＲＦ−ＩＤタグメモリリーダー１２００は書籍型原稿に埋め込まれたＲＦ−ＩＤタグメモリ１３００から識別情報等を読み取り、次のステップＳ２４１で、タグ読み取り処理を終了する。
【００６３】
ステップＳ２０３では、ラインセンサ１０２４で検出した長さがＸ＝２１０ｍｍであるか否かが判定される。ステップＳ２０３における判定の結果がＹＥＳであるときにはステップＳ２１４に進み、ステップＳ２０３における判定の結果がＮＯであるときにはステップＳ２０４に進む。判定の結果がＹＥＳであるとき進むステップＳ２１４では、ホームポジションにおける原稿検出センサ１１００からの原稿存否に係る検出情報が読み込まれる。
【００６４】
次にステップＳ２１５では、原稿検出センサ１１００からの情報に基づいてホームポジションに書籍型原稿が存在するかが判定される。
【００６５】
ステップＳ２１５における判定の結果がＹＥＳであるときには、ステップＳ２１６に進み、原稿台１０１１上の書籍型原稿はＡ４サイズで縦置きされているものと判断する（図９中の書籍型原稿Ｄ２参照）。
【００６６】
ステップＳ２１７においては、このような判断に基づいて、不図示の移動機構によってＲＦ−ＩＤタグメモリリーダー１２００をＡ４サイズ縦置きの中心である（Ｘ＝１０５ｍｍ，Ｙ＝１４８．５ｍｍ）に移動させる。ステップＳ２１８では、ＲＦ−ＩＤタグメモリリーダー１２００は書籍型原稿に埋め込まれたＲＦ−ＩＤタグメモリ１３００から識別情報等を読み取り、次のステップＳ２４１で、タグ読み取り処理を終了する。
【００６７】
ステップＳ２１５における判定の結果がＮＯであるときには、ステップＳ２１９に進み、原稿台１０１１上の書籍型原稿はＡ５サイズで横置きされているものと判断する（図９中の書籍型原稿Ｄ４参照）。
【００６８】
ステップＳ２２０においては、このような判断に基づいて、不図示の移動機構によってＲＦ−ＩＤタグメモリリーダー１２００をＡ３サイズ縦置きの中心である（Ｘ＝１０５ｍｍ，Ｙ＝７４ｍｍ）に移動させる。ステップＳ２２１では、ＲＦ−ＩＤタグメモリリーダー１２００は書籍型原稿に埋め込まれたＲＦ−ＩＤタグメモリ１３００から識別情報等を読み取り、次のステップＳ２４１で、タグ読み取り処理を終了する。
【００６９】
ステップＳ２０４では、ラインセンサ１０２４で検出した長さがＸ＝２５０ｍｍであるか否かが判定される。ステップＳ２０４における判定の結果がＹＥＳであるときにはステップＳ２２２に進み、ステップＳ２０４における判定の結果がＮＯであるときにはステップＳ２０５に進む。判定の結果がＹＥＳであるとき進むステップＳ２２２では、ホームポジションにおける原稿検出センサ１１００からの原稿存否に係る検出情報が読み込まれる。
【００７０】
次にステップＳ２２３では、原稿検出センサ１１００からの情報に基づいてホームポジションに書籍型原稿が存在するかが判定される。
【００７１】
ステップＳ２２３における判定の結果がＹＥＳであるときには、ステップＳ２２４に進み、原稿台１０１１上の書籍型原稿はＢ４サイズで縦置きされているものと判断する（図１０中の書籍型原稿Ｄ１参照）。
【００７２】
ステップＳ２２５においては、このような判断に基づいて、不図示の移動機構によってＲＦ−ＩＤタグメモリリーダー１２００をＡ４サイズ縦置きの中心である（Ｘ＝１２５ｍｍ，Ｙ＝１７６．５ｍｍ）に移動させる。ステップＳ２２５では、ＲＦ−ＩＤタグメモリリーダー１２００は書籍型原稿に埋め込まれたＲＦ−ＩＤタグメモリ１３００から識別情報等を読み取り、次のステップＳ２４１で、タグ読み取り処理を終了する。
【００７３】
ステップＳ２２３における判定の結果がＮＯであるときには、ステップＳ２２７に進み、原稿台１０１１上の書籍型原稿はＢ５サイズで横置きされているものと判断する（図１０中の書籍型原稿Ｄ３参照）。
【００７４】
ステップＳ２２８においては、このような判断に基づいて、不図示の移動機構によってＲＦ−ＩＤタグメモリリーダー１２００をＢ５サイズ横置きの中心である（Ｘ＝１２５ｍｍ，Ｙ＝８８ｍｍ）に移動させる。ステップＳ２２９では、ＲＦ−ＩＤタグメモリリーダー１２００は書籍型原稿に埋め込まれたＲＦ−ＩＤタグメモリ１３００から識別情報等を読み取り、次のステップＳ２４１で、タグ読み取り処理を終了する。
【００７５】
ステップＳ２０５では、ラインセンサ１０２４で検出した長さがＸ＝２５０ｍｍであるか否かが判定される。ステップＳ２０５における判定の結果がＹＥＳであるときにはステップＳ２３０に進み、ステップＳ２０５における判定の結果がＮＯであるときにはステップＳ２３８に進む。判定の結果がＹＥＳであるとき進むステップＳ２３０では、ホームポジションにおける原稿検出センサ１１００からの原稿存否に係る検出情報が読み込まれる。
【００７６】
次にステップＳ２３１では、原稿検出センサ１１００からの情報に基づいてホームポジションに書籍型原稿が存在するかが判定される。
【００７７】
ステップＳ２３１における判定の結果がＹＥＳであるときには、ステップＳ２３２に進み、原稿台１０１１上の書籍型原稿はＢ５サイズで縦置きされているものと判断する（図１０中の書籍型原稿Ｄ２参照）。
【００７８】
ステップＳ２３３においては、このような判断に基づいて、不図示の移動機構によってＲＦ−ＩＤタグメモリリーダー１２００をＢ５サイズ縦置きの中心である（Ｘ＝８８ｍｍ，Ｙ＝１２５ｍｍ）に移動させる。ステップＳ２３４では、ＲＦ−ＩＤタグメモリリーダー１２００は書籍型原稿に埋め込まれたＲＦ−ＩＤタグメモリ１３００から識別情報等を読み取り、次のステップＳ２４１で、タグ読み取り処理を終了する。
【００７９】
ステップＳ２３１における判定の結果がＮＯであるときには、ステップＳ２３５に進み、原稿台１０１１上の書籍型原稿はＢ６サイズで横置きされているものと判断する（図１０中の書籍型原稿Ｄ４参照）。
【００８０】
ステップＳ２３６においては、このような判断に基づいて、不図示の移動機構によってＲＦ−ＩＤタグメモリリーダー１２００をＢ６サイズ横置きの中心である（Ｘ＝８８ｍｍ，Ｙ＝６２．５ｍｍ）に移動させる。ステップＳ２３７では、ＲＦ−ＩＤタグメモリリーダー１２００は書籍型原稿に埋め込まれたＲＦ−ＩＤタグメモリ１３００から識別情報等を読み取り、次のステップＳ２４１で、タグ読み取り処理を終了する。
【００８１】
ステップＳ２０５における判定の結果がＮＯであるとき進むステップＳ２３８では、主走査方向長さＸの１／２の長さを算出する。このような演算は、ＲＦ−ＩＤタグメモリ１３００が、書籍型原稿の表題などが印刷されるのりしろ部の中央付近に埋め込まれている状況が想定されているからである。
【００８２】
次に、ステップＳ２３９では、不図示の移動機構によりＲＦ−ＩＤタグメモリリーダー１２００を移動しつつ、書籍型原稿の走査を行う。この走査の間に、ＲＦ−ＩＤタグメモリリーダー１２００は、書籍型原稿に埋め込まれたＲＦ−ＩＤタグメモリ１３００との交信を行うためのエフォートを実行する。また、書籍型原稿の走査においては、不図示の移動機構は、ＲＦ−ＩＤタグメモリリーダー１２００を、書籍型原稿の主走査方向の存在位置の略半分（Ｘ／２）の位置を副走査方向に移動させるように設定されている。このような設定のために、書籍型原稿の表題などが印刷されるのりしろ部の中央付近に埋め込まれているＲＦ−ＩＤタグメモリ１３００からの識別情報の読み取りが可能となる。
【００８３】
続くステップＳ２４０では、ＲＦ−ＩＤタグメモリリーダー１２００は書籍型原稿に埋め込まれたＲＦ−ＩＤタグメモリ１３００から識別情報等を読み取り、次のステップＳ２４１で、タグ読み取り処理を終了する。
【００８４】
以上の処理フローに示されるように、本実施形態においては、まずＩＳＯのＡ列（Ａ５、Ａ４、Ａ３）サイズの書籍型原稿であるか、或いはＩＳＯのＢ列（Ｂ６、Ｂ５、Ｂ４）サイズの書籍型原稿であるかを検出し、もし該当する規格サイズがあることが判明すれば、当該サイズの中心にＲＦ−ＩＤタグメモリリーダー１２００を移動させるようにするので、素早くＲＦ−ＩＤタグメモリ１３００から識別情報等を読み取ることができ、効率的な無線通信を行える。また、規格サイズを判定できなかった場合においても、ＲＦ−ＩＤタグメモリリーダー１２００移動機構が、ＲＦ−ＩＤタグメモリリーダー１２００を、書籍型原稿の主走査方向の存在位置の略半分（Ｘ／２）の位置を副走査方向に移動させるように構成されるので、スキャナ部１４０が備えるＲＦ−ＩＤタグメモリリーダー１２００と、書籍型原稿に内蔵されるＲＦ−ＩＤタグメモリ１３００との間の無線通信を効率的に行うことができる。
【００８５】
以上、種々の実施形態について説明したが、それぞれの実施形態を構成する要素を任意に組み合わせて構成される実施形態も本発明の範疇に含まれるものである。
【図面の簡単な説明】
【００８６】
【図１】本発明の実施の形態に係る画像処理装置（複合機）及びその周辺のシステム構成を示す図である。
【図２】本発明の実施の形態に係る画像処理装置（複合機）のスキャナ部１４０の概略構成を示す図である。
【図３】本発明の実施の形態に係る画像処理装置（複合機）におけるＲＦ−ＩＤタグメモリリーダーの概略構成を示す図である。
【図４】本発明の実施の形態に係る画像処理装置（複合機）においてＲＦ−ＩＤタグメモリが内蔵される書籍型原稿が原稿台に載置された状態を示す図である。
【図５】本発明の実施の形態に係る画像処理装置（複合機）のＲＦ−ＩＤタグメモリリーダー１２００における識別情報読み取り処理のフローチャートを示す図である。
【図６】本発明の実施の形態に係る画像処理装置（複合機）のスキャナ部１４０の原稿サイズ検出機構を示す図である。
【図７】本発明の実施の形態に係る画像処理装置（複合機）における原稿検出センサ１１００のホームポジションの定義を説明する図である。
【図８】本発明の他の実施の形態に係る画像処理装置（複合機）のＲＦ−ＩＤタグメモリリーダー１２００における識別情報読み取り処理のフローチャートを示す図である。
【図９】ＩＳＯで定められたＡ列の原稿が原稿台１０１１に載置された様子を示す図である。
【図１０】ＩＳＯで定められたＢ列の原稿が原稿台１０１１に載置された様子を示す図である。
【図１１】（Ａ）はＩＳＯのＡ列（Ａ５、Ａ４、Ａ３）の用紙サイズを示しており、（Ｂ）はＩＳＯのＢ列（Ｂ６、Ｂ５、Ｂ４）の用紙サイズを示している。
【符号の説明】
【００８７】
１０・・・ネットワーク、２０・・・電話回線、１００・・・複合機、１１０・・・制御部、１１１・・・解像度設定部、１１２・・・転送用メモリ、１１３・・・解像度の設定用テーブル、１１４・・・画像処理中止信号生成部、１１５・・・メモリ解放信号生成部、１２０・・・ファクシミリ部、１３０・・・プリンタ部、１４０・・・スキャナ部、１５０・・・操作パネル部、１６０・・・ネットワークＩ／Ｆ、１７０・・・ＵＳＢ  Ｉ／Ｆ、２００、２００’、２００’’ ・・・パーソナルコンピュータ、３００・・・外部機器、１０１０・・・本体、１０１１・・・原稿台、１０１３・・・白基準、１０１４・・・インターフェイス、１０２０・・・キャリッジ、１０２１・・・光源、１０２２・・・ミラー、１０２３・・・集光レンズ、１０２４・・・ラインセンサ、１０２５・・・Ａ／Ｄ変換器、１０３０・・・スキャナ制御部、１０３１・・・ＣＰＵ（Ｃｅｎｔｒａｌ  ＰｒｏｃｅｓｓｉｎｇＵｎｉｔ）、１０３２・・・ＲＡＭ（Ｒａｎｄｏｍ  Ａｃｃｅｓｓ  Ｍｅｍｏｒｙ）、１０３３・・・ＲＯＭ（Ｒｅａｄ  Ｏｎｌｙ  Ｍｅｍｏｒｙ）、１０４０・・・データ処理部、１０５０・・・画像処理部、１１００・・・原稿検出センサ、１２００・・・ＲＦ−ＩＤタグメモリリーダー、１３００・・・ＲＦ−ＩＤタグメモリ
【図１】
2008283280.tif 000003
【図２】
2008283280.tif 000004
【図３】
2008283280.tif 000005
【図４】
2008283280.tif 000006
【図５】
2008283280.tif 000007
【図６】
2008283280.tif 000008
【図７】
2008283280.tif 000009
【図８】
2008283280.tif 000010
【図９】
2008283280.tif 000011
【図１０】
2008283280.tif 000012
【図１１】
2008283280.tif 000013